(57)【要約】 【課題】広帯域の送信信号を増幅する場合であっても歪み成分を抑圧可能な歪み補償回路を提供する。【解決手段】歪み補償回路は、分配器、第１及び第２の増幅器、バンドパスフィルタ、第１乃至第３の方向性結合器、第１及び第２の遅延部並びに第１及び第２の変換器を具備する。第１の増幅器は、分配器からの第１の分配信号を増幅する。バンドパスフィルタは、増幅信号に含まれる歪み成分のうち、予め設定される通過帯域から外れる歪み成分を抑圧する。第１の方向性結合器は、前記バンドパスフィルタを通過した増幅信号から第３の分配信号を抽出する。第２の方向性結合器は、第２の分配信号と第３の分配信号とを合成することで、第３の分配信号に含まれる歪み成分を抽出する。第２の増幅器は、抽出された歪み成分を増幅する。第３の方向性結合器は、帯域通過後の増幅信号と増幅歪み信号とを合成することで、増幅信号に含まれる歪み成分を除去する。【選択図】図１
2014023025.tif 000002
【特許請求の範囲】
【請求項１】
入力信号を第１の分配信号と第２の分配信号とに分配する分配器と、
前記第１の分配信号を増幅し、増幅信号とする第１の増幅器と、
前記増幅信号に含まれる歪み成分のうち、予め設定される通過帯域から外れる歪み成分を抑圧するバンドパスフィルタと、
前記バンドパスフィルタを通過した増幅信号から第３の分配信号を抽出する第１の方向性結合器と、
前記第２の分配信号に、前記第１の増幅器での処理及び前記バンドパスフィルタでの処理により発生する遅延と同等の遅延を与える第１の遅延部と、
前記第３の分配信号のレベルを前記第２の分配信号と略同等とし、かつ、前記第３の分配信号の位相を前記第２の分配信号と逆位相に変換する第１の変換器と、
前記遅延された第２の分配信号と、前記第１の変換器で処理された第３の分配信号とを合成することで、前記第３の分配信号に含まれる歪み成分を歪み信号として抽出する第２の方向性結合器と、
前記第２の方向性結合器で抽出された歪み信号を増幅し、増幅歪み信号とする第２の増幅器と、
前記第１の方向性分配器から供給される前記増幅信号に、前記第２の増幅器での処理により発生する遅延と同等の遅延を与える第２の遅延部と、
前記増幅歪み信号のレベルを前記遅延後の増幅信号に含まれる歪み成分に合わせ、前記増幅歪み信号の位相を前記遅延後の増幅信号と逆位相に変換する第２の変換器と、
前記遅延後の増幅信号と、前記第２の変換器で処理された増幅歪み信号とを合成することで、前記遅延後の増幅信号に含まれる歪み成分を除去する第３の方向性結合器と
を具備する歪み補償回路。
【請求項２】
前記通過帯域は、前記帯域通過後の増幅信号に含まれる歪み成分を前記第２の増幅器で増幅したとしても、前記第２の増幅器での増幅後の信号と、前記遅延後の増幅信号との間で遅延誤差を生じない程度の帯域である請求項１記載の歪み補償回路。
【請求項３】
前記帯域通過後の増幅信号の一部を第４の分配信号として抽出する第４の方向性結合器と、
前記第４の分配信号の周波数をベースバンド帯に変換する第１の周波数変換器と、
前記周波数変換された信号をデジタル信号へ変換するアナログ-デジタル変換器と、
前記デジタル信号を参照し、前記第１の増幅器での増幅により発生する歪みが小さくなるように、供給されるベースバンド信号を補正するＤＰＤ（Digital Pre-Distortion）処理部と、
前記ＤＰＤ処理部で補正されたベースバンド信号の周波数を無線周波数帯へ変換し、変換後の信号を前記分配器へ出力する第２の周波数変換器と
をさらに具備し、
前記バンドパスフィルタは、前記帯域通過後の増幅信号に含まれる歪み成分を前記第２の増幅器で増幅したとしても、前記第２の増幅器での増幅後の信号と、前記遅延後の増幅信号との間で遅延誤差を生じない程度の帯域、かつ、前記アナログ−デジタル変換器へ供給される信号の周波数帯域幅が前記アナログ−デジタル変換器のキャプチャレンジに収まる帯域である請求項１記載の歪み補償回路。
【請求項４】
前記第３の方向性結合器で合成された信号の一部を第４の分配信号として抽出する第４の方向性結合器と、
前記第４の分配信号の周波数をベースバンド帯に変換する第１の周波数変換器と、
前記周波数変換された信号をデジタル信号へ変換するアナログ-デジタル変換器と、
前記デジタル信号を参照し、前記第１の増幅器での増幅により発生する歪みが小さくなるように、供給されるベースバンド信号を補正するＤＰＤ（Digital Pre-Distortion）処理部と、
前記ＤＰＤ処理部で補正されたベースバンド信号の周波数を無線周波数帯へ変換し、変換後の信号を前記分配器へ出力する第２の周波数変換器と
をさらに具備し、
前記バンドパスフィルタは、前記帯域通過後の増幅信号に含まれる歪み成分を前記第２の増幅器で増幅したとしても、前記第２の増幅器での増幅後の信号と、前記遅延後の増幅信号との間で遅延誤差を生じない程度の帯域、かつ、前記アナログ−デジタル変換器へ供給される信号の周波数帯域幅が前記アナログ−デジタル変換器のキャプチャレンジに収まる帯域である請求項１記載の歪み補償回路。
【発明の詳細な説明】
【技術分野】
【０００１】
本発明の実施形態は、増幅器において発生する歪成分を抑圧する歪補償回路に関する。
【背景技術】
【０００２】
３ＧＰＰ（Third Generation Partnership Project）においてはＲｅｌｅａｓｅ１０（LTE-Advanced）が策定され、その中でＣＡ（Carrier Aggregation）機能が謳われている。ＣＡ機能とは、２０ＭＨｚを単位とした周波数ブロック（Component Carrier）を複数多重する機能であり、伝送速度を向上させることを目的としている。
【０００３】
各国ではＣＡ機能に対応する周波数帯域の確保が進められており、ＣＡ機能に対応する周波数帯域が確保された場合には、各国の周波数行政にも依存するが、１００ＭＨｚ帯域を利用する携帯電話システムが実現することとなる。一方、１００ＭＨｚ帯域の信号を高出力・低歪みで出力する基地局用ＡＭＰ及び歪み補償方式は検討段階にある。
【０００４】
歪み補償方式としては、例えば、フィードフォワード方式及びＤＰＤ（Digital Pre-Distortion）方式等がある。上述のＣＡ機能を実現しようとする場合、１００ＭＨｚ帯域の広帯域の送信信号を増幅する必要があるが、例えば、フィードフォワード方式を用いた歪み補償回路及びＤＰＤ方式を用いた歪み補償回路では以下のような問題がある。すなわち、フィードフォワード方式を用いた歪み補償回路では、広帯域の歪み信号を増幅する際に遅延誤差が発生するため、十分な歪み補償の効果を得られない。また、ＤＰＤ方式を用いた歪み補償回路ではフィードバックループにおけるアナログ−デジタル変換器のキャプチャレンジに限界があるため、キャプチャレンジの限界を超える帯域の歪み成分が含まれている場合、ＤＰＤ処理を効果的に実行することができない。
【先行技術文献】
【特許文献】
【０００５】
【特許文献１】特開２０００−３１２１１６号公報
【発明の概要】
【発明が解決しようとする課題】
【０００６】
以上のように、従来の歪み補償回路では、広帯域の送信信号が増幅された場合、増幅される送信信号に含まれる歪み成分を抑圧するのが困難であった。
【０００７】
そこで、目的は、広帯域の送信信号を増幅する場合であっても歪み成分を抑圧可能な歪み補償回路を提供することにある。
【課題を解決するための手段】
【０００８】
実施形態によれば、歪み補償回路は、分配器、第１及び第２の増幅器、バンドパスフィルタ、第１乃至第３の方向性結合器、第１及び第２の遅延部、並びに、第１及び第２の変換器を具備する。分配器は、入力信号を第１の分配信号と第２の分配信号とに分配する。第１の増幅器は、前記第１の分配信号を増幅し、増幅信号とする。バンドパスフィルタは、前記増幅信号に含まれる歪み成分のうち、予め設定される通過帯域から外れる歪み成分を抑圧する。第１の方向性結合器は、前記バンドパスフィルタを通過した増幅信号から第３の分配信号を抽出する。第１の遅延部は、前記第２の分配信号に、前記第１の増幅器での処理及び前記バンドパスフィルタでの処理により発生する遅延と同等の遅延を与える。第１の変換器は、前記第３の分配信号のレベルを前記第２の分配信号と略同等とし、かつ、前記第３の分配信号の位相を前記第２の分配信号と逆位相に変換する。第２の方向性結合器は、前記遅延された第２の分配信号と、前記第１の変換器で処理された第３の分配信号とを合成することで、前記第３の分配信号に含まれる歪み成分を歪み信号として抽出する。第２の増幅器は、前記第２の方向性結合器で抽出された歪み信号を増幅し、増幅歪み信号とする。第２の遅延部は、前記第１の方向性分配器から供給される前記増幅信号に、前記第２の増幅器での処理により発生する遅延と同等の遅延を与える。第２の変換器は、前記増幅歪み信号のレベルを前記遅延後の増幅信号に含まれる歪み成分に合わせ、前記増幅歪み信号の位相を前記遅延後の増幅信号と逆位相に変換する。第３の方向性結合器は、前記遅延後の増幅信号と、前記第２の変換器で処理された増幅歪み信号とを合成することで、前記遅延後の増幅信号に含まれる歪み成分を除去する。
【図面の簡単な説明】
【０００９】
【図１】第１の実施形態に係る歪み補償回路の機能構成を示すブロック図である。
【図２】図１に示す帯域通過フィルタを通過する信号の例を示す図である。
【図３】図１に示す補助増幅器へ供給される歪み信号の例を示す図である。
【図４】第２の実施形態に係る歪み補償回路の機能構成を示すブロック図である。
【図５】図４に示すアナログ−デジタル変換器へ供給される信号の例を示す図である。
【図６】図４に示す補助増幅器へ供給される歪み信号の例を示す図である。
【図７】第３の実施形態に係る歪み補償回路の機能構成を示すブロック図である。
【発明を実施するための形態】
【００１０】
以下、実施の形態について、図面を参照して説明する。
【００１１】
（第１の実施形態）  
図１は、第１の実施形態に係る歪み補償回路１０の機能構成を示すブロック図である。図１に示す歪み補償回路１０は、キャリアキャンセルループ１１及び歪みキャンセルループ１２を具備する。
【００１２】
キャリアキャンセルループ１１は、入力信号を所定の電力になるように増幅した信号の中からキャリアをキャンセルし、歪み成分だけを抽出する。キャリアキャンセルループ１１は、分配器１１１、主増幅器１１２、帯域通過フィルタ１１３、第１の方向性結合器１１４、第１の変換器１１５、第１の遅延回路１１６及び第２の方向性結合器１１７を備える。
【００１３】
分配器１１１は、入力される入力信号を第１の分配信号と、第２の分配信号とに分配する。分配器１１１は、第１の分配信号を主増幅器１１２へ出力し、第２の分配信号を遅延回路１１６へ出力する。
【００１４】
主増幅器１１２は、分配器１１１から供給される第１の分配信号を所望のレベルまで増幅し、増幅信号とする。主増幅器１１２は、増幅信号を帯域通過フィルタ１１３へ出力する。
【００１５】
帯域通過フィルタ１１３は、増幅信号における所定の帯域を通過させるようにフィルタ特性が設定されている。ここで、所定の帯域とは、歪みキャンセルループ１２における補助増幅器１２１で増幅された歪み成分が、第２の遅延回路１２３を通過した信号との間で遅延誤差を生じない程度の帯域を表す。図２は、帯域通過フィルタ１１３を通過する信号の例を示す図である。図２に示す帯域通過フィルタ１１３によれば、例えば、１００ＭＨｚの帯域を有する主信号成分と、３次の相互変調歪み（ＩＭＤ３）と、５次の相互変調歪み（ＩＭＤ５）とを含む増幅信号から、主信号成分とＩＭＤ３の一部のみを通過させるフィルタ特性を有する。帯域通過フィルタ１１３は、通過させた増幅信号を、第１の方向性結合器１１４へ出力する。
【００１６】
第１の方向性結合器１１４は、帯域通過フィルタ１１３から供給される増幅信号の一部を第３の分配信号として取り出す。第１の方向性結合器１１４は、取り出した第３の分配信号を第１の変換器１１５へ出力し、増幅信号を歪みキャンセルループ１２における第２の遅延回路１２３へ出力する。
【００１７】
第１の変換器１１５は、抵抗１１５１及び移相器１１５２を備える。抵抗１１５１は、第１の方向性結合器で取り出された第３の分配信号の振幅を、分配器１１１から供給される第２の分配信号の振幅と略一致させるように設定される。
【００１８】
移相器１１５２は、振幅が調整された第３の分配信号の位相を、第２の分配信号の位相と逆位相となるように調整する。移相器１１５２は、位相を調整した第３の分配信号を第２の方向性結合器へ出力する。
【００１９】
第１の遅延回路１１６は、分配器１１１から供給される第２の分配信号を遅延させ、遅延させた第２の分配信号を第２の方向性結合器１１７へ出力する。第１の遅延回路１１６における遅延時間は、主増幅器１１２での処理及び帯域通過フィルタ１１３での処理により発生する遅延時間の和と略一致するよう設定される。
【００２０】
第２の方向性結合器１１７は、第１の変換器１１５から供給される第３の分配信号と、第１の遅延回路１１６から供給される第２の分配信号とを合成することで、第３の分配信号に含まれる歪み成分を抽出し、歪み信号として歪みキャンセルループ１２の補助増幅器１２１へ出力する。図３は、補助増幅器１２１へ出力される歪み信号の例を示す図である。なお、図３における破線は、第２の方向性結合器１１７で除去される主信号成分を示す。
【００２１】
歪みキャンセルループ１２は、キャリアキャンセルループ１１から供給される歪み信号を増幅し、増幅した歪み信号と、キャリアキャンセルループ１１から供給される増幅信号とを合成することにより、増幅信号に含まれる歪み成分をキャンセルする機能を有する。
【００２２】
歪みキャンセルループ１２は、補助増幅器１２１、第２の変換器１２２、第２の遅延回路１２３及び第３の方向性結合器１２４を備える。
【００２３】
補助増幅器１２１は、第２の方向性結合器１１７から供給される歪み信号を増幅し、増幅歪み信号とする。補助増幅器１２１は、増幅歪み信号を第２の変換器１２２へ出力する。
【００２４】
第２の遅延回路１２３は、第２の方向性結合器１１４から供給される増幅信号を遅延させ、遅延させた増幅信号を第３の方向性結合器１２４へ出力する。第２の遅延回路１２３における遅延時間は、補助増幅器１２１での処理により発生する遅延時間と略一致するよう設定される。
【００２５】
第２の変換器１２２は、移相器１２２１及び抵抗１２２２を備える。移相器１２２１は、補助増幅器１２１から供給される増幅歪み信号の位相を、第２の遅延回路１２３から供給される増幅信号と逆位相となるように調整する。
【００２６】
抵抗１２２２は、位相が調整された増幅歪み信号の振幅を、第２の遅延回路１２３から供給される増幅信号に含まれる歪み成分の振幅と合わせるように設定される。抵抗１２２２は、振幅を調整した増幅歪み信号を第３の方向性結合器１２４へ出力する。
【００２７】
第３の方向性結合器１２４は、第２の遅延回路１２３から供給される増幅信号と、第２の変換器１２２から供給される増幅歪み信号とを合成することで、増幅信号に含まれる歪み成分を抑圧する。第３の方向性結合器１２４は、歪み成分を抑圧した信号を後段へ出力する。
【００２８】
以上のように、第１の実施形態では、主増幅器１１２の後段、かつ、第１の方向性結合器１１４の前段に帯域通過フィルタ１１３を配置するようにしている。ここで、帯域通過フィルタ１１３における通過帯域は、帯域通過後の信号に含まれる歪み成分を補助増幅器１２１で増幅したとしても、補助増幅器１２１で増幅後の信号と、第２の遅延回路１２３から供給される増幅信号との間で遅延誤差を生じない程度の帯域である。これにより、主増幅器１１２が広帯域の送信信号を増幅する場合であっても、帯域通過フィルタ１１３により、歪み成分の帯域が制限されることになるため、補助増幅器１２１へ供給される歪み信号の帯域が抑えられることになる。また、主増幅器１１２が広帯域の送信信号を増幅する場合であっても、第２の遅延回路１２３へ供給される信号の帯域が抑えられることになる。
【００２９】
したがって、第１の実施形態に係る歪み補償回路１０によれば、広帯域の送信信号を増幅する場合であっても歪み成分を抑圧することができる。
【００３０】
一方、フィードフォワード方式を用いた従来の歪み補償回路では、広帯域の送信信号を増幅する場合、主増幅器１１２の後段、かつ、第１の方向性結合器１１４の前段に帯域通過フィルタ１１３が配置されていないため、相互変調歪みを含む広帯域の増幅信号が遅延回路へ供給されると共に、相互変調歪みを含む広帯域の歪み信号が補助増幅器へ供給されることになる。広帯域の歪みのため、遅延回路での遅延量と、補助増幅器における処理時間とに誤差が生じることになり、歪み補償回路は、主増幅器での増幅により生じる歪みを効果的に抑圧することができない。
【００３１】
（第２の実施形態）  
図４は、第２の実施形態に係る歪み補償回路２０の機能構成を示すブロック図である。図４において図１と共通する部分には同じ符号を付して示す。
【００３２】
図４に示す歪み補償回路２０は、キャリアキャンセルループ１３及び歪みキャンセルループ１２を具備する。
【００３３】
キャリアキャンセルループ１３は、歪み成分が小さくなるように予め処理し、処理後の信号を所定の電力になるように増幅した信号の中からキャリアをキャンセルし、歪み成分だけを抽出する。キャリアキャンセルループ１３は、ＤＰＤ（Digital Pre-Distortion）処理部１３１、第１の周波数変換器１３２、分配器１１１、主増幅器１１２、帯域通過フィルタ１３３、第１の方向性結合器１１４、第１の変換器１１５、第１の遅延回路１１６、第２の方向性結合器１１７、第４の方向性結合器１３４、第２の周波数変換器１３５及びアナログ−デジタル変換器１３６を備える。
【００３４】
ＤＰＤ処理部１３１は、ベースバンド帯のベースバンド信号と、アナログ−デジタル変換器１３６から供給されるデジタル信号とを受信する。ＤＰＤ処理部１３１は、デジタル信号を参照し、主増幅器１１２での増幅により発生する歪みが小さくなるように、ベースバンド信号を補正する。
【００３５】
第１の周波数変換器１３２は、ＤＰＤ処理部１３１で補正されたベースバンド信号の周波数を、例えば２ＧＨｚ又は８００ＭＨｚへ変換する。第１の周波数変換器１３２は、周波数を変換した信号を分配器１１１へ出力する。
【００３６】
帯域通過フィルタ１３３は、主増幅器１１２から出力される増幅信号における所定の帯域を通過させるようにフィルタ特性が設定されている。ここで、所定の帯域とは、歪みキャンセルループ１２における補助増幅器１２１で増幅された歪み成分が、第２の遅延回路１２３を通過した信号との間で遅延誤差を生じない程度の帯域、かつ、第４の方向性結合器１３４で分配される第４の分配信号の周波数帯域幅がアナログ−デジタル変換器１３６におけるサンプリング周波数の１／２以下に収まるような帯域を表す。帯域通過フィルタ１３３は、通過させた増幅信号を、第４の方向性結合器１３４へ出力する。
【００３７】
第４の方向性結合器１３４は、帯域通過フィルタ１３３から供給される増幅信号から第４の分配信号を分配し、分配した第４の分配信号を第２の周波数変換器１３５へ出力する。また、第４の方向性結合器１３４は、第４の分配信号が分配された増幅信号を第１の方向性結合器１１４へ出力する。
【００３８】
第２の周波数変換器１３５は、第４の方向性結合器１３４から供給される第４の分配信号の周波数をベースバンド帯に変換する。第２の周波数変換器１３５は、ベースバンド帯の信号をアナログ−デジタル変換器１３６へ出力する。
【００３９】
アナログ−デジタル変換器１３６は、第２の周波数変換器１３５から供給されるベースバンド帯の信号をデジタル信号に変換する。図５は、アナログ−デジタル変換器１３６へ供給される信号の例を示す図である。帯域通過フィルタ１３３により、ＩＭＤ３がキャプチャレンジ内に収まるため、アナログ−デジタル変換器１３６は、供給された信号をデジタル信号へ変換することが可能である。アナログ−デジタル変換器１３６は、デジタル信号をＤＰＤ処理部１３１へ出力する。
【００４０】
以上のように、第２の実施形態では、主増幅器１１２の後段、かつ、第４の方向性結合器１３４の前段に帯域通過フィルタ１３３を配置するようにしている。ここで、帯域通過フィルタ１３３における通過帯域は、帯域通過後の信号に含まれる歪み成分を補助増幅器１２１で増幅したとしても、補助増幅器１２１で増幅後の信号と、第２の遅延回路１２３から供給される増幅信号との間で遅延誤差を生じない程度の帯域、かつ、第２の周波数変換器１３５からアナログ−デジタル変換器１３６へ供給される信号の周波数帯域幅がアナログ−デジタル変換器１３６のキャプチャレンジに収まるような帯域である。これにより、主増幅器１１２が広帯域の送信信号を増幅する場合であっても、帯域通過フィルタ１３３により、歪み成分の帯域が制限されることになるため、補助増幅器１２１へ供給される歪み信号の帯域が抑えられることになる。また、主増幅器１１２が広帯域の送信信号を増幅する場合であっても、第２の遅延回路１２３へ供給される信号の帯域が抑えられることになる。また、主増幅器１１２が広帯域の送信信号を増幅する場合であっても、アナログ−デジタル変換器１３６へ供給される信号の周波数帯域幅がアナログ−デジタル変換器１３６のキャプチャレンジに収まるため、ＤＰＤ処理が効果的に行われることになる。このＤＰＤ処理により、補助増幅器１２１へ供給される歪み信号は、例えば、図６に示すようになり、図３に示す歪み信号よりも振幅が小さくなる。なお、図６における破線は、図３における歪み信号を示す。
【００４１】
したがって、第２の実施形態に係る歪み補償回路２０によれば、広帯域の送信信号を増幅する場合であっても歪み成分を抑圧することができる。
【００４２】
一方、ＤＰＤ方式を用いた従来の歪み補償回路では、広帯域の送信信号を増幅する場合、主増幅器１１２の後段、かつ、第４の方向性結合器１３４の前段に帯域通過フィルタ１３３が配置されていないため、相互変調歪みを含む広帯域の信号がアナログ−デジタル変換器へ供給されることになる。アナログ−デジタル変換器のキャプチャレンジには限界があるため、供給される信号の帯域幅がこのキャプチャレンジに収まらない場合、歪み補償回路は、ＤＰＤ処理の効果を十分に得ることができない。
【００４３】
（第３の実施形態）  
図７は、第３の実施形態に係る歪み補償回路３０の機能構成を示すブロック図である。図７において図１及び図４と共通する部分には同じ符号を付して示す。
【００４４】
図７に示す歪み補償回路３０は、キャリアキャンセルループ１４及び歪みキャンセルループ１５を具備する。
【００４５】
キャリアキャンセルループ１４は、歪み成分が小さくなるように入力信号を予め処理し、処理後の信号を所定の電力になるように増幅した信号の中からキャリアをキャンセルし、歪み成分だけを抽出する。キャリアキャンセルループ１４は、ＤＰＤ処理部１４１、第１の周波数変換器１３２、分配器１１１、主増幅器１１２、帯域通過フィルタ１４２、第１の方向性結合器１１４、第１の変換器１１５、第１の遅延回路１１６、第２の方向性結合器１１７を備える。
【００４６】
ＤＰＤ処理部１４１は、ベースバンド帯のベースバンド信号と、アナログ−デジタル変換器１５３から供給されるデジタル信号とを受信する。ＤＰＤ処理部１４１は、デジタル信号を参照し、主増幅器１１２での増幅により発生する歪みが小さくなるように、ベースバンド信号を補正する。
【００４７】
帯域通過フィルタ１４３は、主増幅器１１２から出力される増幅信号における所定の帯域を通過させるようにフィルタ特性が設定されている。ここで、所定の帯域とは、歪みキャンセルループ１５における補助増幅器１２１で増幅された歪み成分が、第２の遅延回路１２３を通過した信号との間で遅延誤差を生じない程度の帯域、かつ、第５の方向性結合器１５１で分配される第５の分配信号の周波数帯域幅がアナログ−デジタル変換器１５３におけるサンプリング周波数の１／２以下に収まるような帯域を表す。帯域通過フィルタ１４２は、通過させた増幅信号を、第１の方向性結合器１１４へ出力する。
【００４８】
歪みキャンセルループ１５は、キャリアキャンセルループ１４から供給される歪み信号を増幅し、増幅した歪み信号と、キャリアキャンセルループ１４から供給される増幅信号とを合成することにより、増幅信号に含まれる歪み成分をキャンセルする機能を有する。
【００４９】
歪みキャンセルループ１５は、補助増幅器１２１、第２の変換器１２２、第２の遅延回路１２３、第３の方向性結合器１２４、第５の方向性結合器１５１、第２の周波数変換器１５２及びアナログ−デジタル変換器１５３を備える。
【００５０】
第５の方向性結合器１５１は、第３の方向性結合器１２４から供給される、歪み成分が抑圧された信号の一部を第５の分配信号として分配し、第５の分配信号を第２の周波数変換器１５２へ出力する。
【００５１】
第２の周波数変換器１５２は、第５の方向性結合器１５１から供給される第５の分配信号の周波数をベースバンド帯に変換する。第２の周波数変換器１５２は、ベースバンド帯の信号をアナログ−デジタル変換器１５３へ出力する。
【００５２】
アナログ−デジタル変換器１５３は、第２の周波数変換器１５２から供給されるベースバンド帯の信号をデジタル信号に変換する。アナログ−デジタル変換器１５３は、デジタル信号をＤＰＤ処理部１４１へ出力する。
【００５３】
以上のように、第３の実施形態では、主増幅器１１２の後段、かつ、第１の方向性結合器１１４の前段に帯域通過フィルタ１４２を配置するようにしている。ここで、帯域通過フィルタ１４２における通過帯域は、帯域通過後の信号に含まれる歪み成分を補助増幅器１２１で増幅したとしても、補助増幅器１２１で増幅後の信号と、第２の遅延回路１２３から供給される増幅信号との間で遅延誤差を生じない程度の帯域、かつ、第２の周波数変換器１５２からアナログ−デジタル変換器１５３へ供給される信号の周波数帯域幅がアナログ−デジタル変換器１５３のキャプチャレンジに収まるような帯域である。これにより、主増幅器１１２が広帯域の送信信号を増幅する場合であっても、帯域通過フィルタ１４２により歪み成分の帯域が制限されることになるため、補助増幅器１２１へ供給される歪み信号の帯域が抑えられることになる。また、主増幅器１１２が広帯域の送信信号を増幅する場合であっても、第２の遅延回路１２３へ供給される信号の帯域が抑えられることになる。また、主増幅器１１２が広帯域の送信信号を増幅する場合であっても、アナログ−デジタル変換器１５３へ供給される信号の周波数帯域幅がアナログ−デジタル変換器１５３のキャプチャレンジに収まるため、ＤＰＤ処理が効果的に行われることになる。
【００５４】
したがって、第３の実施形態に係る歪み補償回路３０によれば、広帯域の送信信号を増幅する場合であっても歪み成分を抑圧することができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１０，２０，３０…歪み補償回路、１１，１３，１４…キャリアキャンセルループ、１１１…分配器、１１２…主増幅器、１１３，１３３，１４２…帯域通過フィルタ、１１４…第１の方向性結合器、１１５…第１の変換器、１１５１，１２２２…抵抗、１１５２，１２２１…移相器、１１６…第１の遅延回路、１１７…第２の方向性結合器、１２，１５…歪みキャンセルループ、１２１…補助増幅器、１２２…第２の変換器、１２３…第２の遅延回路、１２４…第３の方向性結合器、１３１，１４１…ＤＰＤ処理部、１３２…第１の周波数変換器、１３４…第４の方向性結合器、１３５，１５２…第２の周波数変換器、１３６，１５３…アナログ−デジタル変換器、１５１…第５の方向性結合器
【図１】
2014023025.tif 000003
【図２】
2014023025.tif 000004
【図３】
2014023025.tif 000005
【図４】
2014023025.tif 000006
【図５】
2014023025.tif 000007
【図６】
2014023025.tif 000008
【図７】
2014023025.tif 000009